(57)【要約】第１および第２の細長い外側支持部材（12,14）と、第１および第２の外側支持部材（12,14）の間に介在する第１および第２の細長い中間支持部材（16,18）と、第１の外側支持部材（12）と第１の中間支持部材（16）とを相互接続する少なくとも1つの第１の連結部材（20）と、第２の外側支持部材（14）と第２の中間支持部材（18）とを相互接続する少なくとも1つの第２の連結部材（22）と、第１および第２の中間支持部材（16,18）を離間した関係で互いに固定し、それにより第１および第２の外側支持部材（12,14）の間に断熱を提供する熱絶縁ファスナー（24）とを含み、それにより、第１および第２の細長い外側支持部材（12,14）間の熱遮断を提供する構造的構築パネルのケージのための断熱トラス（10）。また、断熱性がある構造建物パネル（40）も提供される。
2019504225.tif 000002
【特許請求の範囲】
【請求項１】
第１および第２の細長い外側支持部材（12,14）と、
前記第１および第２の外側支持部材（12,14）の間に介在する第１および第２の細長い中間支持部材（16,18）と、
前記第１の外側支持部材（12）と前記第１の中間支持部材（16）とを相互接続する少なくとも1つの第１の連結部材（20）と、
前記第２の外側支持部材（14）と前記第２の中間支持部材（18）とを相互接続する少なくとも1つの第２の連結部材（22）と、
前記第１および前記第２の中間支持部材（16,18）を離間した位置で互いに固定し、それにより前記第１および前記第２の細長い外側支持部材（12,14）間の熱遮断を提供する熱絶縁ファスナー（24）とを含む、
構造構築パネルのケージのための断熱トラス（10）。
【請求項２】
前記熱絶縁ファスナー（24）は、前記第１および前記第２の中間支持部材（16,18）を収納するシース管である請求項１に記載の断熱トラス（10）。
【請求項３】
さらに、前記熱絶縁ファスナー（24）を支え、前記第１および前記第２の中間支持部材（16,18）の間の隙間を維持するように配置される少なくとも１つの補強部材 （26） を含む、
請求項１または請求項２に記載の断熱トラス（10）。
【請求項４】
前記補強部材 （26）はストラップである請求項３に記載の断熱トラス（10）。
【請求項５】
前記補強部材 （26）はループ状である請求項３に記載の断熱トラス（10）。
【請求項６】
前記補強部材 （26）は金属製、または、金属を含む、請求項３、請求項４、または、請求項５に記載の断熱トラス（10）。 
【請求項７】
前記補強部材 （26）は、前記熱絶縁ファスナー（24）の少なくとも一部の周りを囲む、請求項３、請求項４、請求項５、または、請求項６に記載の断熱トラス（10）。
【請求項８】
前記補強部材 （26）は前記第１および前記第２の中間支持部材（16,18）の少なくとも一部の周りを囲む、請求項３から請求項７のいずれかに記載の断熱トラス（10）。
【請求項９】
前記補強部材 （26）は、前記第１および前記第２の連結部材（20, 22）のそれぞれから隙間があるように配置されている、請求項３から請求項８のいずれかに記載の断熱トラス（10）。
【請求項１０】
前記第１および前記第２の中間支持部材（16,18）の間の隙間に前記熱絶縁ファスナー（24）が設けられている、請求項１から請求項９のいずれかに記載の断熱トラス（10）。
【請求項１１】
前記熱絶縁ファスナー（24）が、ポリウレタン、ポリスチレン、ポリアミド、または、瀬着材のいずれかであるか、または、それを含む、請求項１から請求項１０のいずれかに記載の断熱トラス（10）。
【請求項１２】
前記熱絶縁ファスナー（24）が、接続手段によって前記第１および前記第２の中間支持部材（16,18）の少なくとも一方に接続されている、請求項１０、または、請求項１１に記載の断熱トラス（10）。
【請求項１３】
前記接続手段が接着剤を含む、請求項１１に記載の断熱トラス（10）。
【請求項１４】
前記第１の外側支持部材（12） と前記第１の中間支持部材（16）とが同一平面内、または、実質的に同一平面内に位置する、請求項１から請求項１３のいずれかに記載の断熱トラス（10）。
【請求項１５】
前記第１の連結部材（20）が前記断熱トラス（10）の長手方向にジグザグ形状を成す、請求項１から請求項１４のいずれかに記載の断熱トラス（10）。
【請求項１６】
前記第１の連結部材（20） が一体形成されている、請求項１から請求項１５のいずれかに記載の断熱トラス（10）。
【請求項１７】
前記第２の外側支持部材（14）と前記第２の中間支持部材（18）とが同一平面内、または、実質的に同一平面内に位置する、請求項１から請求項１６のいずれかに記載の断熱トラス（10）。
【請求項１８】
前記第２の連結部材（22）が前記断熱トラス（10）の長手方向にジグザグ形状を成す、請求項１から請求項１７のいずれかに記載の断熱トラス（10）。
【請求項１９】
前記第２の連結部材（22） が一体形成されている、請求項１から請求項１８のいずれかに記載の断熱トラス（10）。
【請求項２０】
前記第１の連結部材（20）が、前記第１の外側支持部材（12）と前記第１の外側支持部材（16）と共に複数の三角形（28）を形成する、請求項１から請求項１９のいずれかに記載の断熱トラス（10）。
【請求項２１】
前記第２の連結部材（22）が、前記第２の外側支持部材（14）と前記第２の外側支持部材（18）と共に複数の三角形（28）を形成する、請求項１から請求項２０のいずれかに記載の断熱トラス（10）。
【請求項２２】
前記複数の三角形 （28）が正三角形または二等辺三角形である、請求項２０または請求項２１に記載の断熱トラス（10）。
【請求項２３】
前記第１の連結部材（20）が、前記第１の外側支持部材（12）と前記第１の外側支持部材（16）とに溶接されている、請求項１から請求項２２のいずれかに記載の断熱トラス（10）。
【請求項２４】
前記第２の連結部材（22）が、前記第２の外側支持部材（14）と前記第２の外側支持部材（18）とに溶接されている、請求項１から請求項２３のいずれかに記載の断熱トラス（10）。
【請求項２５】
前記第１および前記第２の外側支持部材（12,14）、前記第１および前記第２の中間支持部材（16,18）、またはその両方のうちの１つ以上の横断面は実質的に円形である、請求項１から請求項２４のいずれかに記載の断熱トラス（10）。
【請求項２６】
前記第１および前記第２の外側支持部材（12,14）、前記第１および前記第２の中間支持部材（16,18）、またはそれらの両方のうちの２つ以上の寸法が異なる、請求項１から請求項２５のいずれかに記載の断熱トラス（10）。
【請求項２７】
前記第１および前記第２の外側支持部材（12,14）、前記第１および前記第２の中間支持部材（16,18）、またはそれらの両方のうちの２つ以上の寸法が同一、または、実質的に同一である、請求項１から請求項２６のいずれかに記載の断熱トラス（10）。
【請求項２８】
前記第１および前記第２の外側支持部材（12,14）、前記第１および前記第２の中間支持部材（16,18）、またはそれらの両方のうちの１つ以上が平板、または、実質的に平板である、請求項１から請求項２４のいずれかに記載の断熱トラス（10）。
【請求項２９】
前記前記第１および前記第２の外側支持部材（12,14）と、前記第１および前記第２の中間支持部材（16,18）とが、同一平面上、または、実質的に同一平面上に整列された、請求項１から請求項２８のいずれかに記載の断熱トラス（10）。
【請求項３０】
前記第１の外側支持部材（12）と前記第１の中間支持部材（16）とが、前記第２の外側支持部材（14）と前記第２の中間支持部材（18）からオフセットされた位置にある、請求項１から請求項２９のいずれかに記載の断熱トラス（10）。
【請求項３１】
前記第１および前記第２の外側支持部材（12,14）の少なくとも１つの少なくとも一部が、前記熱絶縁ファスナー（24）と同一、または、実質的に同一の形状の絶縁素材（38）に覆われている、請求項１から請求項３０のいずれかに記載の断熱トラス（10）。
【請求項３２】
少なくとも１つの絶縁部材 （42）と、
少なくとも２つの、請求項１から請求項３１のいずれかに記載の断熱トラス（10）と、 
少なくとも１つの結束部材（44）とを含み、
前記断熱トラス（10）は、実質的に平行に整列され、
前記絶縁部材（42）は、前記断熱トラス（10）の中間に配置され、
前記結束部材（44）は、少なくとも２つの前記断熱トラス（10）を接続し、少なくとも２つの前記断熱トラス（10）に対して実質的に垂直に延伸し、間にある前記絶縁部材（42）を保持する、
断熱構造建築派パネル （40）。
【請求項３３】
複数の前記絶縁部材（42）と、前記断熱トラスと、前記結束手段（44）とが設けられた、請求項３２に記載の断熱構造建築パネル（40）。
【請求項３４】
少なくとも２つの前記絶縁部材（42）が接合手段により接合されている、請求項３３に記載の断熱構造建築パネル（40）。
【請求項３５】
前記接合手段が接着剤を含む、請求項３４に記載の断熱構造建築パネル（40）。
【請求項３６】
前記絶縁部材（42）が、ポリスチレン、ポリウレタン、または、ポリアミドのいずれかであるか、または、それらのいずれかを含む、請求項３５に記載の断熱構造建築パネル（40）。
【請求項３７】
第１および第２の細長い外側支持部材（12, 14）と、
前記第１および前記第２の外側支持部材（12, 14）の間に配置された、第１および第２の細長い中間支持部材（16, 18）と、
前記第１の外側支持部材（12）と前記第１の中間支持部材（16）とを接続する少なくとも１つの第１の連結部材（20）と、 
前記第２の外側支持部材（14）と前記第２の中間支持部材（18）とを接続する少なくとも１つの第２の連結部材（22）と、 
前記第１および前記第２の中間支持部材（16,18）を隙間を設けた位置に固定する熱絶縁ファスナー（24）と、
前記熱絶縁ファスナー（24）を囲い、前記連結部材（20,22）から距離を取って配置されている補強部材（26）とを含み、 
前記第１および前記第２の細長い外側支持部材（12,14）の間に熱遮断が提供されている、 
構造建築パネルのケージのための断熱トラス（10）。 
【請求項３８】
少なくとも２つのモジュラー・ユニットであって、
前記モジュラー・ユニットの長手方向の縁を定義し、互いに隣接し、平行、または、実質的に平行の関係で空間を維持する第１および第２の細長い支持部材（12,14）と、
前記長手方向の縁から延伸し、前記第１および第２の部材（12,14）を接続する連結部材（20,22）とを含み、
前記各モジュラー・ユニットは、同一平面、または、実質的に同一平面上にあり、互いに空間を取って平行、または、実質的に平行に配置され、前記モジュラー・ユニット間の前記空間が隙間を形成する、
少なくとも２つのモジュラー・ユニットと
前記少なくとも２つのモジュラー・ユニットを接続する一対の平行なモジュラー・ユニット間の隙間に配置された熱絶縁ファスナー（24）と、
前記平行なモジュラー・ユニット間の接続と、少なくとも２つのモジュラー・ユニットを接続する前記熱絶縁ファスナー（24）とを強化する補強部材（24）とを含み、
前記隙間と前記熱絶縁ファスナー（24）とが、共に前記同一平面上にあるモジュラー・ユニット間の実質的な熱遮断を提供する、
構造建築パネルのケージのための断熱トラス（10）。
【発明の詳細な説明】
【技術分野】
【０００１】
本発明は、断熱性のあるトラスに関し、より詳細には、断熱性のある構造的建築パネルのケージのための断熱性のあるトラスに関する（ただし、それに限定されない）。また、本発明は、このような断熱性のあるトラスを使用した、断熱性のある構造建築パネル自体にも関する。
【背景技術】
【０００２】
既製の建築パネルを使用して、住宅や商業用および工業用の建物や構造物を建設することは周知である。このようなパネルは、オフサイトで製造され、必要なときに使用できるよう準備されている。典型的には、パネルは、床、壁、基礎、および、屋根で使用される。このようなプレハブ建築パネルが広く使用されている主な理由は、建築工事の現場での作業所要時間を短縮するためである。
【０００３】
従来のプレハブパネルの熱絶縁特性には限界があって。今日、建物のエネルギー効率の向上が建設業界で最も一般的な目標のひとつとなっている。しかし、建物のエネルギー使用の削減は、通常、建築システムではなく、機械的システム、電気的システム、および、ガラスシステムに焦点が当てられてきた。
【０００４】
プレハブパネルを使用する、住宅や商業用および工業用建物などの建物の典型的な建設方法では、エネルギー効率を高めるために必要な部品のコストを考慮すると、平均的な購入者にとってエネルギー効率が十分でないかコストが高すぎる。 
【０００５】
熱遮断または熱障壁は、電熱性素材間の熱エネルギーの流れを低減または防止するためにアセンブリ内に配置される低熱伝導率の要素である。ポリアミドまたはポリウレタンで作られた断熱材の熱伝導性はアルミニウムの1000分の1、鉄の100分の1のオーダーであることが知られている。構造的建造物パネルのケージのためのトラスに断熱材を設けることは、効率、性能、コストの節約につながる。
【０００６】
本願発明の目的は、上述した問題を低減または実質的に回避する熱遮断されたトラス、構造構築パネル、または、その両方を提供することである。簡単に言えば、本願発明の目的は、改善された断熱特性に対する業界の要求を満たし、製造コストが低く軽量である構造用建築パネルを提供することである。
【発明の概要】
【０００７】
本願発明の第１の態様によれば、第１および第２の細長い外側支持部材と、第１および第２の外側支持部材の間に介在する第１および第２の細長い中間支持部材と、第１の外側支持部材と第１の中間支持部材とを相互接続する少なくとも１つの第１の連結部材と、第２の外側支持部材と第２の中間支持部材とを相互接続する少なくとも１つの第２の連結部材と、第１および第２の中間支持部材を離間した位置で互いに固定し、それにより第１および第２の細長い外側支持部材間の熱遮断を提供する熱絶縁ファスナーとを含む、構造構築パネルのケージのための断熱トラスが提供される。
【０００８】
断熱トラスは、望ましくないエネルギーの流れを低減または防止する構造的建造物パネルのケージのためのトラスの熱絶縁を提供する点で効果を発揮する。断熱トラスが構造的建造物パネルに使用された場合、熱経路の断裂により、建物の内部と外部との間の熱エネルギーの移動を防止または低減できる。断熱はかつてより寒い地域で使用されてきたが、暖かい環境でも同様に重要であり、空調設備での熱伝達を減らし、エネルギー効率、性能、コストの節約を提供する。
【０００９】
好ましくは、熱絶縁ファスナーは、第１および第２の中間支持部材が収容されるシース管であってよい。 
【００１０】
有利には、これにより、第１および第２の中間支持部材の両方が絶縁材料内に収容され、第１および第１の中間支持部材間のエネルギーの流れが大幅に低減され、その間に熱障壁が設けられる。 
【００１１】
断熱トラスは、さらに、熱絶縁ファスナーを支持し、熱絶縁ファスナーによって第1および第2の中間支持部材から離間した関係で保持される少なくとも１つの補強部材を含んでいてよい。好ましくは、補強部材は、ストラップまたはカラーであってよく、金属で構成されてもよく、金属を含んでもよい。さらに、補強部材は、第１および第２の中間支持部材の少なくとも一部を取り囲んでいてもよい。 
【００１２】
有利には、この補強部材は、断熱トラスを支持し、熱絶縁ファスナーの完全性を保護し、引っ張り応力が断熱トラスの構造を破壊するのを防止するのに役立つ。 
【００１３】
最も好ましくは、補強要素は、第１および第２の連結部材から離間していてもよい。これは、第１および第２の連結部材を介して第１および第２の中間支持部材から第１および第２の外側支持部材へのエネルギーの流れを削減する上で効果的である。 
【００１４】
ある実施例では、第１および第２の中間支持部材の隙間に熱絶縁ファスナーが提供されてもよい。加えて、熱絶縁ファスナーは、ポリスチレン、発泡性ポリウレタン、または、ポリアミド製であるか、それらを含んでいてもよい。さらに、熱絶縁ファスナーは、接着剤であっても、それを含んでいてもよい。有利な効果として、これらの素材は金属よりも熱伝導率が遙かに低く、前述のとおり、第１および第２の中間支持部材の間の熱絶縁を提供し、第１中間支持部材から第２の中間支持部材への、および、その逆方向への熱エネルギーの流れを低減、または、削減する。 
【００１５】
熱絶縁ファスナーは、第１および第２の中間支持部材の少なくとも一方に接続手段を介して接続されてよい。好ましくは、接続手段は接着剤を含んでいてよい。 
【００１６】
任意選択的に、第１の外側支持部材と第１の中間支持部材は、同一平面内、または、実質的に同一平面内に位置してよい。さらに、第１の外側支持部材と第１の中間支持部材は、第１の連結部材の相対する側に設けられていてよい。好ましくは、第１の連結部材は、第１の外側支持部材と第１の中間支持部材を接続する。さらに、第１の連結部材は、断熱トラスの長手方向に沿ってジグザグ状に形成されてよい。理想的には、第1の連結部材は、一体的に形成されてもよく、連続的であってもよく、または、その両方であってもよい。
【００１７】
任意選択的に、第２の外側支持部材と第２の中間支持部材は、同一平面内、または、実質的に同一平面内に位置してよい。さらに、第２の外側支持部材と第２の中間支持部材は、第２の連結部材の相対する側に設けられていてよい。好ましくは、第２の連結部材は、第２の外側支持部材と第２の中間支持部材を接続する。 さらに、第２の連結部材は、断熱トラスの長手方向に沿ってジグザグ状に形成されてよい。理想的には、第２の連結部材は、一体的に形成されてもよく、連続的であってもよく、または、その両方であってもよい。
【００１８】
有利なことに、第１および第２の連結部材は、第1の中間支持部材と第1の外側支持部材と第2の中間支持部材と第２の外側支持部材との間のブレースとして作用し、これらを一定の間隔を隔てて維持する。有利には、第１および第２の連結部材は、第１および第２の中間支持部材および第１および第２の外側支持部材の、加えられた荷重の下での曲げや変形のリスクを低減する。さらに、トラスがサイズに切断されると、非連続的な連結部材のストラットが、切断中に一定量の内部張力を受けるので、それらのストラットが所定の位置から外れる傾向がある。このリスクは、一体的に形成された連結部材、連続的な連結部材、または、その両方を使用することによって最小化される。 
【００１９】
好ましくは、第１の連結部材は、第１の外側支持部材および第１の中間支持部材と共に複数の三角形を形成してもよい。また、第２の連結部材は、第２の外側支持部材および第２の中間支持部材と複数の三角形を形成してもよい。任意選択的に、複数の三角形は、正三角形または二等辺三角形であってもよい。 
【００２０】
好ましくは、第１の連結部材は、第１の外側支持部材および第１の中間支持部材に溶接されていてもよい。また、第２の連結部材は、第２の外側支持部材および第２の中間支持部材に溶接されていてもよい。
【００２１】
任意選択的に、第１および第２の外側支持部材または第１および第２の中間支持部材のうちの任意の１つまたは複数の横断面は、円形、または、実質的に断面であってよい。さらに、第１および第２の外側支持部材または第１および第２の中間支持部材のうちの任意の２つ以上の直径が異なっていてもよい。あるいは、第１および第２の外側支持部材または第１および第２の中間支持部材のうちの任意の２つ以上の直径が同じであってもよい。一実施形態では、第１および第２の外側支持部材または第１および第２の中間支持部材のうちの任意の１つまたは複数は、実質的に平坦な細長いプレートであってもよい。 
【００２２】
有利なことに、これは、特定の断熱トラスの使用者の要求に応じて、様々な異なる第１および第２の中間支持部材または第１および第２の外側支持部材を使用できることを意味する。第１および第２の外側支持部材または第１および第２の中間支持部材のいずれかが実質的に平坦な細長いプレートである場合、これらは重なり合って、接着されるべき熱絶縁ファスナーを接着するための大きな表面積を提供してよい。 
【００２３】
好ましくは、第１および第２の外側支持部材および第１および第２の中間支持部材は同一平面上に整列していてもよい。あるいは、第１の外側支持部材および第２の中間支持部材は、第２の外側支持部材および第２の中間支持部材からオフセットしていてもよい。 
【００２４】
好ましくは、第１および第２の外側支持部材は、熱絶縁ファスナーと実質的に同じ形状の絶縁材料でさらに覆われていてもよい。これは、第１および第２の外側支持部材から第１および第２の連結部材へ、また、断熱トラスを横切って、熱エネルギーが伝達することをさらに低減または防止するための断熱材の別の層を追加するのに役立つ。 
【００２５】
本発明の第２の態様によれば、少なくとも１つの絶縁部材と、本発明の第１の態様による少なくとも２つの断熱トラスと、少なくとも１つの結束部材とを含み、断熱トラスが実質的に平行な平面に配置され、断熱部材が断熱トラスの中間に配置され、少なくとも２つの断熱トラスが配置され、結束部材が少なくとも２つの断熱トラスを接続し、少なくとも２つのトラスに実質的に垂直に伸び、それらの間の絶縁部材を保持する、断熱構造建築パネルが提供される。
【００２６】
この構造は、構造建築パネルの一部として前述の断熱トラスが存在するので有利である。断熱部材は、構造建築パネルの断熱特性を改善し、それによって、強力かつ軽量で断熱性に優れたプレハブパネルの提供に寄与する。
【００２７】
好ましくは、複数の断熱部材、断熱されたトラスおよび結束部材が設けられる。より好ましくは、前述の絶縁部材の少なくとも２つが接合手段を用いて接合される。さらに、断熱部材は、ポリスチレン、ポリウレタン、またはポリアミドから構成されてもよく、ポリスチレン、ポリウレタン、またはポリアミドを含んでもよい。これらの材料は良好な断熱性を提供する点で有利である。 
【００２８】
この熱的に破壊された構造的建造物パネルは、環境に優しいだけでなく、長期的に暖房費を拙訳できる点で建物の所有者や占有者にとって有益である。特に、断熱トラスを組み込んだ断熱構造建築パネルは、建物の標準的な絶縁率を改善する。 
【００２９】
本発明の第３の態様によれば、少なくとも２つのモジュラー・ユニットであって、前記モジュラー・ユニットの長手方向の縁を定義し、互いに隣接し、平行、または、実質的に平行の関係で空間を維持する第１および第２の細長い支持部材と、前記長手方向の縁から延伸し、前記第１および第２の部材を接続する連結部材とを含み、前記各モジュラー・ユニットは、同一平面、または、実質的に同一平面上にあり、互いに空間を取って平行、または、実質的に平行に配置され、前記モジュラー・ユニット間の前記空間が隙間を形成する、少なくとも２つのモジュラー・ユニットと、前記少なくとも２つのモジュラー・ユニットを接続する一対の平行なモジュラー・ユニット間の隙間に配置された熱絶縁ファスナーと、前記平行なモジュラー・ユニット間の接続と、少なくとも２つのモジュラー・ユニットを接続する前記熱絶縁ファスナーとを強化する補強部材とを含み、前記隙間と前記熱絶縁ファスナー（24）とが、共に前記同一平面上にあるモジュラー・ユニット間の実質的な熱遮断を提供する、構造建築パネルのケージのための断熱トラスが提供される。
【００３０】
以降、添付の図面を単なる例示として参照し、本願発明をより詳細に説明する。
【図面の簡単な説明】
【００３１】
【図１】本願発明に係る断熱トラスの斜視図である。
【図２】本願発明に係る断熱トラスの図１のA-Aに沿う断面図である。
【図３】図１に示した本願発明に係る断熱トラスの平面図である。
【図４】図１に示した本願発明に係る複数の断熱トラスの斜視図である。
【図５】図１に示した本願発明に係る断熱トラスを取り込んだ、本願発明の第二の態様に係る断熱性のある構造建築パネルの斜視図である。
【図６】図１に示した本願発明に係る断熱性のあるトラスを取り込んだ、本願発明の第三の態様に係る断熱性のある構造建築パネルの側面図である。
【発明を実施するための形態】
【００３２】
図面において、構造的建造物パネルのケージのための断熱トラスの全体図（10）が示されている。断熱トラスは、第１の長手方向外側支持部材（12）および第２の長手方向外側支持部材（14）と、第１の外側支持部材（12）と第２の外側支持部材（14）との間に介在する第１の細長い中間支持部材（16）および第２の細長い中間支持部材（18）と、第１の外側支持部材（12）と第1の中間支持部材（16）とを相互に連結する少なくとも１つの第１の連結部材（20）と、第２の外側支持部材（14）と第２の中間支持部材（18）とを相互に連結する少なくとも１つの第２の連結部材（22）と、第１の中間支持部材（16）と第２の中間支持部材（18）とを離間した関係で互いに固定し、それにより第１の外側支持部材（12）と第２の外側支持部材（14）との間に断熱を提供する熱絶縁ファスナー（24）とを含む。 
【００３３】
第１の外側支持部材（12）および第２の外側支持部材（14）と、第１の中間支持部材（16）および第２の中間支持部材（18）とは、好ましくは、ワイヤまたはコードなどの実質的に剛体の支柱であり、金属製、例えば鋼であってもよい。典型的には、第１の外側支持部材（12）および第２の外側支持部材（14）と、第1の中間支持部材（16）および第２の中間支持部材（18）とは絞り加工により作られる。他の利用可能な適切な材料および製造プロセスが使用されてもよい。第１の外側支持部材（12）および第２の外側支持部材（14）と、第１の中間支持部材（16）および第２の中間支持部材（18）は、断熱トラス（10）の主要な負荷支持構造要素であり、それを介して負荷の大部分が伝達される。第１の外側支持部材（12）および第２の外側支持部材（14）と、第１の中間支持部材（16）および第２の中間支持部材（18）の長さは、100mm（ミリメートル）から6000mmの範囲であってもよい。
【００３４】
第１の外側支持部材（12）および第２の外側支持部材（14）と、第１の中間支持部材（16）および第２の中間支持部材（18）とは、円形の横断面を有していてよい。このような構成では、第１の外側支持部材（12）および第２の外側支持部材（14）と、第１の中間支持部材（16）および第２の中間支持部材（18）とのうちの任意の２つ以上の直径は同じであっても異なっていてもよい。好ましくは、第１の外側支持部材（12）、第２の外側支持部材（14）、または、その両方と、第１の中間支持部材（16）、第２の中間支持部材（18）、または、その両方の直径は1mmから6mmの範囲内にある。より好ましくは、第１の外側支持部材（12）、第２の外側支持部材（14）、または、その両方と、第１の中間支持部材（16）、第２の中間支持部材（18）、または、その両方の直径は2mmから8mmの範囲にある。横断面は、好ましくは円形であるが、非円形、例えば正方形または長方形などの多角形であってもよい。
【００３５】
あるいは、第１の外側支持部材（12）および第２の外側支持部材（14）と第１の中間支持部材（16）および第２の中間支持部材（18）のうちの任意のものが、長方形横断面を有する実質的に平坦な細長いプレートであってもよい。好ましくは、第１の外側支持部材（12）、第２の外側支持部材（14）、または、その両方と、第１の中間支持部材（16）、第２の中間支持部材（18）、または、その両方の矩形の横断面の寸法は、30mm〜70mm×260mm〜340mmの範囲にある。より好ましくは、第１の外側支持部材（12）、第２の外側支持部材（14）、または、その両方と、第１の中間支持部材（16）、第２の中間支持部材（18）、または、その両方の矩形の横断面の寸法は、50mm × 300mmである。
【００３６】
第１の中間支持部材（16）および第２の中間支持部材（18）は、互いに隙間を持つように配置される。好ましくは、第１の中間支持部材（16）と第２の中間支持部材（18）との間の隙間は60mmから100mmであり、より好ましくは約60mmである。 
【００３７】
熱絶縁ファスナー（24）は、第１の中間支持部材（16）と第２の中間支持部材（18）との間の間隙を維持する。この実施形態では、熱絶縁ファスナー（24）は、第１および第２の支持部材が保持されるシース管であることが好ましい。熱絶縁ファスナー（24）は、有利には、第１の中間支持部材と第２の中間支持部材両方を包囲し、実質的に円形の横断面を有していてよい。好ましくは、熱絶縁ファスナーは、第１の中間支持部材（16）と第２の中間支持部材（18）との長さ全体を覆う。その結果、第１の中間支持部材（16）と第２の中間支持部材（18）とが熱的に遮断され、第１の中間支持部材（16）と第２の中間支持部材（18）との間の熱エネルギー流が大きく減少する。 
【００３８】
熱絶縁ファスナー（24）は連続的であってよいが、第１の中間支持部材（16）および第２の中間支持部材（18）の間に配置された複数の熱絶縁ファスナーから形成される不連続な構造でもよい。空気は、適切な断熱材であることが知られているので、熱絶縁ファスナーが第１の中間支持部材（16）と第２の中間支持部材（18）との間に隙間を維持している限り、熱絶縁ファスナーが第１の中間支持部材（16）と第２の中間支持部材（18）の全長にわたって伸びている必要はない。他の構成の熱絶縁ファスナーが代替で使用されてもよい。代替の構成として、熱絶縁ファスナーが、第１の中間支持部材（16）と第２の中間支持部材（18）の隙間部分にのみ設けられてもよく、接合手段を用いて第１の中間支持部材（16）と第２の中間支持部材（18）の一方に接着されてもよい。接合手段は接着剤であるか、それを含んでいてよい。 
【００３９】
典型的には、熱絶縁ファスナー（24）は、ポリスチレン、好ましくは発泡ポリスチレンであるか、またはそれを含む。その代わりに、ポリウレタンを使用してもよく、実際には、第１の中間支持部材と第２の中間支持部材との間を断熱するファスナー素材、例えばポリアミドを使用してもよい。さらに、熱絶縁ファスナーは、接着剤から成るか、または接着剤を含んでいてよい。有利なことに、ポリアミドまたはポリウレタンで作られた素材の熱遮断効果は、アルミニウムよりも1000倍、鋼よりも100倍優れている。 
【００４０】
少なくとも１つの補強部材（26）が、第１の中間支持部材（16）と第２の中間支持部材（18）と熱絶縁ファスナーとを一体化するよう維持するのを助ける。図面では、複数の補強部材（26）が、第１の中間支持部材（16）と第２の中間支持部材（18）とを横切って延び、熱絶縁ファスナー（24）によって第１の中間支持部材（16）と第２の中間支持部材（18）と離間した位置に保持されている。 
【００４１】
各補強部材（26）は、熱絶縁ファスナー（24）を横切って延伸し、熱絶縁ファスナー（24）に接続されている。好ましくは、各補強部材（26）は、ストラップまたはカラーの形態をとり、熱絶縁ファスナー（24）を取り囲み、その結果、第１の中間支持部材（16）と第２の中間支持部材（18）も取り囲む。 
【００４２】
有利には、補強部材（26）の補強効果を助けるために、補強部材（26）は、金属であってもよいし、金属を含んでもよい。したがって、断熱性トラス（10）の熱効率を維持するために、補強部材（26）は、第１の中間支持部材（16）と第２の中間支持部材（18）から離間している。 
【００４３】
第１の外側支持部材（12）および第１の中間支持部材（16）は、同一平面上または実質的に同一平面上に整列している。第１の外側支持部材（12）と第１の中間支持部材（16）との距離は好ましくは30mmから90mmである。より好ましくは、当該距離は40 mmから80 mmである。第２の外側支持部材（14）および第２の中間支持部材（18）は、同一平面上または実質的に同一平面上に整列している。第２の外側支持部材（14）と第２の中間支持部材（18）との距離は好ましくは30mmから90mmである。より好ましくは当該距離は40 mmから80 mmである。
【００４４】
第１の連結部材（20）は、第１の外側支持部材（12）と第２の中間支持部材（16）とを連結する。好ましくは、第１の連結部材（20）は、第１の外側支持部材（12）、第２の外側支持部材（14）、第１の中間支持部材（16）、第２の中間支持部材（18）と同様の剛性かつ連続的なワイヤまたはコード状支柱であり、金属製であるか金属を含む。第１の連結部材（20）の断面は、円形または非円形であってよい。好ましくは、第１の連結部材（20）の直径は、1mmから8mmの範囲である。第１の連結部材（20）の断面は、第１の外側支持部材（12）、第２の外側支持部材（14）、第１の中間支持部材（16）、または、第２の中間支持部材（18）のいずれかと同じであってもよい。
【００４５】
有利なことに、第１の連結部材（20）は、第１の外側支持部材（12）と第1の中間支持部材（16）とを一定の距離離して支持する。有利なことに、これにより、第１の外側支持部材（12）と第1の中間支持部材（16）とが加えられた荷重の下で屈曲または変形する危険性が低減される。
【００４６】
第１の連結部材（20）は連続的ではなく、不連続であってもよく、あるいは、複数の個別の支柱を含んでいてもよい。このような支柱は、典型的には30mmから120mmの長さの剛性ワイヤまたはコードから作られる。断熱トラス（10）をサイズに合わせて切断すると、非連続的な連結部材の支柱が切断中に一定量の内部張力を受けるので、支柱が所定の位置から外れる可能性がある。しかしながら、一体的に形成された連結部材、連続的な連結部材、または、その両方を使用することにより、このリスクを最小限に抑えられる。
【００４７】
好ましくは、第１の連結部材（20）は、第１の外側支持部材（12）と第1の中間支持部材（16）の長手方向に沿ってジグザグ状に形成される。第１の連結部材（20）は、第１の外側支持部材（12）と第1の中間支持部材（16）と共に一連の三角形（28）を形成してよい。好ましくは、三角形（28）は正三角形であるが、二等辺三角形または直角三角形であってもよい。代替の構成として、第１の連結部材（20）が上述のように非連続である場合、個々の支柱が第１の外側支持部材（12）から第２の中間支持部材（16）へ斜めに通過してもよく、その逆であってもよい。
【００４８】
第１の連結部材（20）は、複数のノード（32）の各湾曲部または頂点（30）において、またはそれに隣接した位置において、第１の外側支持部材（12）および第１の中間支持部材（16）に接続される。有利な効果として、ノード（32）は、断熱トラス（10）を剛性向上に役立ち、不均一な荷重のもとで断熱トラス（10）を変形から保護する。各ノード（32）は、スポット溶接によって実現されることが好ましい。しかしながら、恒久的な固定がなされるのであれば、他のタイプの固定手段を使用してもよい。
【００４９】
圧縮されたとき、第１の連結部材（20）の変形は、各ジグザグの各湾曲部または頂部（30）、またはその近くに生じる可能性が最も高い。ノード（32）を各湾曲部または頂部（30）に、またはそれと非常に近接して配置することにより、断熱トラスの座屈に対する抵抗が増大する。このようなノード（32）の配置は、断熱トラス（10）の耐荷重能力を著しく増加させる。
【００５０】
別個のノード（32）を有することによって、断熱トラス（10）の剛性が向上し、それにより、特に高風圧または地震時の不均一な荷重下での断熱トラス（10）の変形に対する耐性が高まる。 
【００５１】
任意選択的に、第１の外側支持部材（12）と第１の中間支持部材（16）との間に配置された追加の第１の連結部材があってもよい。追加の第１の連結部材は、第１の連結部材（20）と実質的に同じであるので、詳細な説明は省略する。第１の連結部材（20）と同様に、追加の第１の連結部材は、第１の外側支持部材（12）および第１の中間支持部材（16）に、追加の複数の節点で接続してもよい。追加のノードは、前述のノードと同様であってもよいが、第１のノード（32）から離間していてもよい。追加の第１の連結部材の利点は、その存在が節点接続を増加させ、したがって断熱トラス（10）の剛性をさらに改善することである。第１の連結部材（20）と同様に、追加の第１の連結部材は、非連続的な連結部材であってもよい。このような構成では、ストラットは、好ましくは、第１の外側支持部材（12）と第１の中間支持部材（16）との間で、第1の連結部材（20）の反対方向に延伸し、第１の連結部材（20）と追加の第１の連結部材とが格子を形成してよい。
【００５２】
第２の連結部材（22）は、第２の外側支持部材（14）および第２の中間支持部材（18）を接続する。第２の連結部材（22）は、実質的に第１の連結部材（20）と同一であるため詳細な説明は省略する。
【００５３】
好ましくは、図３に最もよく示されているように、第１の外側支持部材（12）および第２の外側支持部（14）と第１の中間支持部材（16）および第２の中間支持部材（18）とは、同一平面上または実質的に同一平面上に配置され、第１の連結部材（20）および第２の連結部材（22）は互いにオフセットする位置にある。
【００５４】
第１の外側支持部材（12）および第２の外側支持部（14）と、第１の中間支持部材（16）および第２の中間支持部材（18）と、第１の連結部材（20）および第２の連結部材（22）特定の構成が本明細書に示され、説明されているが、これは任意の特定の設計、構成または実施形態に限定されるものではない。例えば、第１の外側支持部材（12）および第１の中間支持部材（16）が、第２の外側支持部材（14）および第２の中間支持部材（18）からオフセットされ、第１の連結部材（20）および第２の連結部材（22）が同一平面上に整列していてもよい。
【００５５】
少なくとも１つのブレース部材（34）が、断熱トラス（10）の第１の外側支持部材（12）と第１の中間支持部材（16）とを支え、それらを一定の距離だけ離して維持するのを助けるために使用されてよい。この実施形態では、ブレース部材（34）は、第１の外側支持部材（12）および第２の外側支持部（14）と、第１の中間支持部材（16）および第２の中間支持部材（18）とを横切って延伸し相互接続する水平または実質的に水平な結合部として設けられる。各ブレース部材（34）は、少なくとも第１の外側支持部材（12）および第２の外側支持部（14）とにおいて断熱トラスを横切って延伸し、断熱トラスに接続されている。しかし、各ブレース部材（34）は、第１の外側支持部材（12）、第２の外側支持部材（14）、第1の中間部材（16）、または、第２の中間部材（18）のいずれか１つ以上に接続されてもよい。第１の外側支持部材（12）、第２の外側支持部（14）、若しくはその両方、または、第１の中間支持部材（16）、第２の中間支持部材（18）、若しくはその両方に接続されてもよい。接続は好ましくは溶接によって達成される。
【００５６】
好ましくは、各ブレース素材（34）は、熱絶縁ファスナー（24）と同じまたは実質的に同じ形状の別の絶縁材料（36）内に収容されてもよい。これにより、垂直方向の熱エネルギー伝達を有効に防止できる。
【００５７】
さらに、第１の外側支持部材 （12）、第２の外側支持部材（14）、または、その両方の各々は、熱絶縁ファスナー（24）と実質的に同じ形状の絶縁材料（38）で覆われていてもよい。 
【００５８】
図５および図６に、断熱性のある構造構築パネルの全体図（40）を示す。構造構築パネルは、複数の絶縁部材（42）と、複数の断熱性のあるトラス（10）とを含む。本発明の第1の態様と共通の特徴は同じ参照番号で示されている。例えば、断熱性のあるトラス（10）の構成部分が示されている。
【００５９】
この実施形態では、断絶性のあるトラス（10）のそれぞれは、第１の外側支持部材（12）および第２の外側支持部材（14）と、第１の中間支持部材（16）および第２の中間支持部材（18）と、第１の連結部材（20）および第２の連結部材（22）と、熱絶縁ファスナー（24）と、複数の補強要素（26）と、ブレース要素（34）とを含む。好ましくは、ブレース部材（34）、第１の外側支持部材（12）、および、第２の外側支持部材（14）のそれぞれは、断熱ファスナー（24）とほぼ同じ形状の絶縁材料（36,38）内に被覆されている。 
【００６０】
1対の断熱トラス（10）の間には1つの絶縁部材（42）が配置されている。好ましくは、絶縁部材（42）の材料は、良好な断熱性を提供する。絶縁部材（42）は、低密度材料、例えばポリスチレン、または、より好ましくは発泡ポリスチレンであってもよく、またはそれを含んでいてもよい。発泡ポリウレタンが使用されてもよい。発泡ポリウレタンはポリスチレンより優れた絶縁体であるが、ポリスチレンよりも環境負荷が大きい。
【００６１】
代替の構成として、絶縁部材（42）は矩形ブロックの形態を取ってよい。絶縁部材（42）の寸法は、例えば、2400mm（長さ）×40mm（幅）×50mm（高さ）である。高さの選択は、絶縁部材（42）を隣接する断熱トラス（10）との間に嵌め込むことができなければならないという点で重要である。すなわち、絶縁部材（42）の深さは隣接する断熱性トラス（10）との間隔以下でなければならない。 
【００６２】
図４から図６において、断熱トラス（10）のそれぞれは、ほぼ平行に間隔を置いて配置された別の断熱トラス（10）に隣接して配置されている。複数の垂直方向に離間した細長い保持部材または結束部材（44）が断熱トラス（10）に対して垂直に延び、断熱トラス（10）を通常は、第１の外側支持部材（12）および第２の外側支持部材（14）を介して相互接続する。複数の断熱トラス（10）および複数の結束部材（44）は、共に複数の絶縁部材（42）が収容されたワイヤフレームワークまたはケージを形成する。結束部材（44）は、絶縁部材（42）を、隣接する断熱トラス（10）の間の所定の位置に保持するのを助ける。 
【００６３】
以下でより詳細に説明するように、絶縁部材（42）とケージが一度に組み立てられた時に両者の間に隙間があることは有利な効果を発揮する。
【００６４】
また、結束部材（44）が、断熱トラス（10）を、固定された、または実質的に固定された距離だけ離して維持する。隣接する断熱トラス（10）間の典型的な間隔は40mmから60mmの範囲であり、より好ましくは、約50mmである。結束部材（44）は、断熱されたトラス（10）の長手方向の長さに沿って、典型的には50mmごとに等間隔に配置される。
【００６５】
各結束部材（44）は、好ましくは剛性を持つワイヤまたはコード状ストラットであり、金属であってもよいし、金属を含んでいてもよい。各結束部材（44）の横断面は円形または非円形であってよい。各結束部材（44）の直径は、1mmから6mmの範囲であってもよい。しかし、結束部材（44）＝は、平面であってもよく、例えば、断熱構造構築パネル（40）の少なくとも一部に沿って、または、その周りに延びる連続シートまたはメッシュとして提供されてもよい。
【００６６】
結束部材（44）は、好ましくは、固定手段（46）を用いて断熱トラスに複数の位置で取り付けられる。各結束部材（44）は、１つおきの断熱トラス（10）に接続してもよい。しかし、例えば、各結束部材（44）とすべての断熱トラス（10）とが接続する、または。各結束部材（44）と２つおきの断熱トラス（10）が接続するなどの代替の構成であってもよい。との間の接続のような別の間隔の間隔を考慮することができる。好ましくは、固定手段（46）は溶接である。代替の構成として、固定手段（46）は、第１の外側支持手段（12）と第２の外側支持手段（14）の１つ以上の上に設けられたループであって、結束部材（44）がそのループを通り、結束部材（44）を断熱トラス（10）に固定する構成であってもよい。
【００６７】
断熱構造構築パネル（40）を形成するために、断熱トラス（10）および絶縁部材（42）は、交互の順序で一体に組み立てられる。必要であれば、絶縁部材（42）が、接合手段を用いて組み立て中に一緒に接続される。そのような接合手段は、接着剤であってもよいし、接着剤を含んでもよい。次いで、結束部材（44）が断熱トラス（10）に接続される。 
【００６８】
断熱構造構築パネル（40）を現場に置き、コンクリートや石膏レンダ（48）を断熱構造構築パネル（40）の対向する面に適用する。有利な効果として、レンダ（48）は、必要であればワイヤケージに追加の強度を加えることができる。レンダ（48）は、第１の外側支持部材（12）および第２の外側支持部（14）と結束部材（44）に結合する。絶縁部材（42）の少なくとも外向きの部分とワイヤケージとの間には意図的に隙間が設けられ、レンダ（48））はケージ内に入り、第１の外側支持部材（12）および第２の外側支持部（14）と結束部材（44）とをケージ内だけでなくケージの外側からも支持することができる。接合に利用可能な表面積に応じて、接合は、断熱構造構築パネル40の全体的な耐荷重能力を改善するのに役立つ。
【００６９】
レンダ（48）は、典型的には、ポルトランドセメント、骨材および砂の耐候性混合物を含む。一般的に、石膏のような代替物が内部表面をレンダリングするために使用される。セメントまたはプラスター（48）の層は、メッシュケージをコアの両側に包み、乾燥したときに強固で堅い構造を生成する。必要に応じて、種々の防水、抗真菌、および、繊維補強剤を、レンダリング混合物または乾燥表面に適用してよい。本明細書の文脈では、内部表面、外部表面とは、建築された建物との相対的な関係として定義される。
【図１】
2019504225.tif 000003
【図２】
2019504225.tif 000004
【図３】
2019504225.tif 000005
【図４】
2019504225.tif 000006
【図５】
2019504225.tif 000007
【図６】
2019504225.tif 000008
【国際調査報告】
2019504225.tif 000009
2019504225.tif 000010